【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダと、前記スライダの軸方向端部に前記案内レールに対して所定の隙間量を設けて取り付けられたサイドシール部材とを備えた直動案内装置であって、
前記サイドシール部材は、その内周面に前記案内レールに接触する少なくとも３つの位置決め突起を備え、前記少なくとも３つの位置決め突起の前記案内レールに接触する部分の前記軸方向に沿う合計長さが前記サイドシール部材の前記軸方向に沿う厚さよりも短いことを特徴とする直動案内装置。
【請求項２】
前記少なくとも３つの位置決め突起のうち少なくとも１つが前記案内レールの外周面のうち上側の前記転動体転動溝の上方の外周面略中央部に接触することを特徴とする請求項１記載の直動案内装置。
【請求項３】
前記少なくとも３つの位置決め突起の各々が樹脂製であることを特徴とする請求項１または２記載の直動案内装置。
【請求項４】
前記少なくとも３つの位置決め突起のうち少なくとも１つは、前記案内レールの外周面のうち上側の前記転動体転動溝の上方の外周面に接触する部分に設けられていることを特徴とする請求項１〜３の何れか１項に記載の直動案内装置。
【請求項５】
前記少なくとも３つの位置決め突起のうち少なくとも１つは、前記案内レールの外周面のうち下側の前記転動体転動溝の下方の外周面に接触する部分に設けられていることを特徴とする請求項１〜４の何れか１項に記載の直動案内装置。
【請求項６】
前記少なくとも３つの位置決め突起は、前記案内レールを挟んで左右対称に合計３つ設けられていることを特徴とする請求項１〜５の何れか１項に記載の直動案内装置。
【手続補正２】
【補正対象書類名】明細書
【補正対象項目名】０００６
【補正方法】変更
【補正の内容】
【０００６】
なお、図１２において、符号１１０はスライダ本体１０２Ａの端面に形成されたねじ１１２のタップ穴、１１３は給脂用ニップル、１１４は案内レール１０１の固定用のボルト挿通穴である。
この従来の図１２に示す直動案内装置において、非接触式のサイドシール部材１１１をスライダ１０２の軸方向端部に取り付けるに際しては、案内レール１０１とサイドシール部材１１１との間に規定厚さのシムを挟み、案内レール１０１とサイドシール部材１１１との間の隙間が既定値となるように行なっていた。
【手続補正３】
【補正対象書類名】明細書
【補正対象項目名】０００９
【補正方法】変更
【補正の内容】
【０００９】
また、サイドシール部材２０４は、図１３（Ａ）に示すように、案内レール２０１の外面に摺動自在に接触するシールリップ２０５ａを有するシール部材２０５と、図１３（Ｂ）に示すように、転動体転動溝２０３と摺動自在に接触する接触部２０６ａを有する位置決め部材２０６とを備えている。
この位置決め部材２０６は、案内レール２０１及びシール部材２０５に取り付けられて案内レール２０１に対するシール部材２０５の位置決めを行うようになっている。案内レール２０１に取り付けた位置決め部材２０６をシール部材２０５に取り付けた状態で、案内レール２０１の外面とシールリップ２０５ａとの接触状態が、案内レール２０１の外面とシールリップ２０５ａとの接触部分の全体に亘って均等または略均等となる。
【手続補正４】
【補正対象書類名】明細書
【補正対象項目名】００１４
【補正方法】変更
【補正の内容】
【００１４】
上記目的を達成するため、本発明のうち請求項１に係る直動案内装置は、軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダと、前記スライダの軸方向端部に前記案内レールに対して所定の隙間量を設けて取り付けられたサイドシール部材とを備えた直動案内装置であって、前記サイドシール部材は、その内周面に前記案内レールに接触する少なくとも３つの位置決め突起を備え、前記少なくとも３つの位置決め突起の前記案内レールに接触する部分の前記軸方向に沿う合計長さが前記サイドシール部材の前記軸方向に沿う厚さよりも短いことを特徴としている。
また、本発明のうち請求項２に係る直動案内装置は、請求項１記載の直動案内装置において、前記少なくとも３つの位置決め突起のうち少なくとも１つが、前記案内レールの外周面のうち上側の前記転動体転動溝の上方の外周面略中央部に接触することを特徴としている。
さらに、本発明のうち請求項３に係る直動案内装置は、請求項１または２記載の直動案内装置において、前記少なくとも３つの位置決め突起の各々が樹脂製であることを特徴としている。
本発明のうち請求項４に係る直動案内装置は、請求項１〜３の何れか１項に記載の直動案内装置において、前記少なくとも３つの位置決め突起のうち少なくとも１つは、前記案内レールの外周面のうち上側の前記転動体転動溝の上方の外周面に接触する部分に設けられていることを特徴としている。
本発明のうち請求項５に係る直動案内装置は、請求項１〜４の何れか１項に記載の直動案内装置において、前記少なくとも３つの位置決め突起のうち少なくとも１つは、前記案内レールの外周面のうち下側の前記転動体転動溝の下方の外周面に接触する部分に設けられていることを特徴としている。
本発明のうち請求項６に係る直動案内装置は、請求項１〜５の何れか１項に記載の直動案内装置において、前記少なくとも３つの位置決め突起は、前記案内レールを挟んで左右対称に合計３つ設けられていることを特徴としている。
【手続補正５】
【補正対象書類名】明細書
【補正対象項目名】００１７
【補正方法】変更
【補正の内容】
【００１７】
また、本発明のうち請求項３に係る直動案内装置によれば、請求項１記載の直動案内装置において、前記少なくとも３つの位置決め突起の各々が樹脂製であるので、サイドシール部材を組み付けるときに位置決め突起が案内レールに当たっても金属製の案内レールが傷つくことがない。また、サイドシール部材を組み付けた後、スライダが案内レールの軸方向に沿って移動する際にも、案内レールと接触している位置決め突起が樹脂製であり、案内レールが傷つくことがない。
【手続補正６】
【補正対象書類名】明細書
【補正対象項目名】００２０
【補正方法】変更
【補正の内容】
【００２０】
図１に示す直動案内装置１は、例えば、軸方向に延びる案内レール２と、案内レール２
上に軸方向に相対移動可能に跨架されたスライダ３とを備えている。
案内レール２は金属製で、その両側面にはそれぞれ軸方向に延びる２条の転動体転動溝２ａが形成されており、スライダ３のスライダ本体４には、その両袖部４ａの内側面に、それぞれ転動体転動溝２ａに対向する転動体転動溝（図示せず）が形成されている。そして、これらの向き合った案内レール２に形成された転動体転動溝２ａとスライダ本体４に形成された転動体転動溝との間には転動体の一例としての多数のボール（図示せず）が転動自在に装填されている。これらのボールの転動を介してスライダ３が案内レール２上を軸方向に沿って相対移動できるようになっている。
【手続補正７】
【補正対象書類名】明細書
【補正対象項目名】００２２
【補正方法】変更
【補正の内容】
【００２２】
また、スライダ３のエンドキャップ５の軸方向両端部には、１対のサイドシール部材１０（図１では、一方のサイドシール部材１０のみを図示）を取り付けている。１対のサイドシール部材１０は対称形状をなすため、一方のサイドシール部材１０のみについて説明する。
サイドシール部材１０は、図１及び図２に示すように、案内レール２を跨ぐように断面略コ字形に形成され、案内レール２を横断する方向に延びる基板部１０ａと、基板部１０ａのレール横断方向両端から案内レール２の両側面に沿うように下方に延びる１対の側板部１０ｂとを備えている。サイドシール部材１０は、例えば、熱可塑性樹脂を成形することによって一体に形成される。但し、サイドシール部材１０は、金属製であってもよい。サイドシール部材１０は、取付ねじ１２によりねじ孔１０ｃを介してスライダ３のエンドキャップ５の軸方向端部に取り付けられる。
ここで、サイドシール部材１０は、図６に示すように、サイドシール部材１０の内周面と案内レール２の外周面との間の隙間量がδとなるように取り付けられる。この隙間量δは、例えば０．１ｍｍ程度と小さい。
【手続補正８】
【補正対象書類名】明細書
【補正対象項目名】００２４
【補正方法】変更
【補正の内容】
【００２４】
ここで、位置決め突起１１の数は、製品性能に影響が出ない程度の数までとする。また、各位置決め突起１１が接触する案内レール２の外周面は、転動体転動溝２ａ以外の外周面であればよく、前述した例に限定されない。各位置決め突起１１を転動体転動溝２ａに接触させる位置に配置すると、転動体転動溝２ａに損傷を与え、製品性能に影響が出ると考えられる。また、各位置決め突起１１の突出高さは、案内レール２の外周面とサイドシール部材１０の内周面との間の隙間量δと同じ大きさである。
【手続補正９】
【補正対象書類名】明細書
【補正対象項目名】００２８
【補正方法】変更
【補正の内容】
【００２８】
次に、サイドシール部材１０の組み付け方法について説明すると、この組み付けに際しては、サイドシール部材１０と一体に設けられた位置決め突起１１を案内レール２の外周面に接触させた状態でサイドシール部材１０をスライダ３の軸方向端部に取付ねじ１２により取り付ければよい。これにより、案内レール２の外周面に対して所定の隙間量δを確保した状態でサイドシール部材１０をスライダ３の軸方向端部に取り付けることができ、非接触式のサイドシール部材１０の組み付け作業を簡単に行うことができる。このため、サイドシール部材１０の組み付けの際に、従来のようなシムを使用する必要はなく、サイドシール部材１０の組み付けに伴って案内レール２を傷つけてしまうおそれはない。
また、３つの位置決め突起１１の各々が樹脂製であるので、サイドシール部材１０を組み付けるときに位置決め突起１１が案内レール２に強く当たっても金属製の案内レール２が傷つくことはない。また、サイドシール部材１０を組み付けた後、スライダ３が案内レール２の軸方向に沿って移動する際にも、案内レール２と接触している位置決め突起１１が樹脂製であり、案内レール２が傷つくことはない。
【手続補正１０】
【補正対象書類名】明細書
【補正対象項目名】００３１
【補正方法】変更
【補正の内容】
【００３１】
また、図９に示したサイドシール部材１０の組み付けに際しても、サイドシール部材１０と一体に設けられた３つの位置決め突起１１を案内レール２の外周面に接触させた状態でサイドシール部材１０をスライダ３の軸方向端部に取付ねじ１２により取り付ければよい。これにより、案内レール２の外周面に対して所定の隙間量δを確保した状態でサイドシール部材１０をスライダ３の軸方向端部に取り付けることができ、非接触式のサイドシール部材１０の組み付け作業を簡単に行うことができる。このため、サイドシール部材１０の組み付けの際に、従来のようなシムを使用する必要はなく、サイドシール部材１０の組み付けに伴って案内レール２を傷つけてしまうおそれはない。